(57)【要約】【課題】従来のガイド板の風力発電装置は、上部に積重ね型であり、安全性に問題。【解決手段】四角状の上板と下板の間の前後にガイド板が外部の風力方向を変えて導入する間隔と、排出する間隔を有して複数斜めに立設され、両側は連結される板材で塞がれた内部中央に回転軸が上下に軸受けを有して回転自在に取り付けた回転軸に内部に位置して導入風力で起動する風車が取り付けられ、回転軸上部に回転軸の軸端の歯車を取り付けて四角状の箱型の連結型風力装置が設けられ、両側の板材部分が合わされ発電ケースも含めて複数連結され、上部の回転軸の軸端の歯車と発電ケースから縦軸の軸端の歯車を含めたそれぞれの歯車にかみ合う歯車を備える接続軸が板材の立ち上がった部分に軸受けを有して取り付けられ、接続軸の歯車がそれぞれの歯車にかみ合わされて接続され、発電ケースの縦軸に変速歯車を取り付けて発電機に風車の回転が伝達されて大きな電力を得るこが可能にした。【選択図】図１
2020051423.tif 000002
【特許請求の範囲】
【請求項１】
四角状の上板と下板を上下にした間の前後に長板状のガイド板が間隔を有して斜めに内部になる方向に同じく複数立設され、
前記上板と前記下板の両側の間には板材が取り付けられて塞がれ、
前記ガイド板と前記板材で囲まれて設けられた内部には前記間隔から外部の風力が方向を変えて導入される部分と、前記ガイド板の斜めと前記板材の間隔が前記内部方向に大きくされた部分を有して排出の間隔部分が設けられ、
前記内部に導入する風力で起動する羽根が円筒形の周壁に間隔を有して縦長に複数の起動羽根を取り付けた風車が設けられ、
前記内部中央に取り付けられる縦長の回転軸が前記風車の中央に差入れて前記回転軸の途中の前記内部に位置する部分に前記風車を取り付けて備えられ、
前記下板には導入する風力の排出と、備えた前記風車を取り付けた前記回転軸を出し入れできる開口部が設けられ、
前記開口部から前記回転軸が差入れられ、
前記上板の中央に軸受けを有して前記回転軸の上部が前記軸受けを通抜けた端に前記回転軸に軸端の歯車が設けられ、
前記下板の下方に配置された支持材の上部に軸受けを有して前記回転軸の下端を取り付けて前記回転軸が回転自在に設けられ、
上記した構成を複数設けた両側の前記板材部分と発電ケースも含めて合わせた上部の前記回転軸の軸端の歯車と前記発電ケース内部に配置された縦軸の上部に縦軸の軸端の歯車が取り付けられてそれぞれの歯車が一直線状に揃えられて連結され、
前記それぞれの歯車の上側にかみ合う歯車を備えられる接続軸が前記板材の上部が立ち上がった部分に軸受けを有して回転自在に水平状に取り付けられ、
前記それぞれの歯車に前記接続軸に備えた接続軸の歯車を一方側にかみ合わせて接続された前記接続軸が横長に配置され、
前記縦軸に変速歯車を有して発電機軸に伝達したことを特徴とする連結型風力装置。
【請求項２】
前記連結型風力装置の連結による配列を曲げる位置に前記発電ケースが連結され、上部に配置された前記接続軸の歯車と曲げる方向の前記接続軸の歯車を両方の歯車が上側にかみ合わせができる前記縦軸の軸端の歯車を大きくして設けた請求項１に記載の連結型風力装置。
【請求項３】
前記連結型風力装置が複数連結された一部分の取り外しと、取り付けを可能にした請求項１あるいは２に記載の連結型風力装置。
【発明の詳細な説明】
【技術分野】
【０００１】  本発明は、複数の連結型風力装置を連結させて安全に大きな電力を得るための連結型風力装置に関する。
【背景技術】
【０００２】  従来の風力発電装置は、上部に積重ね型で円形枠にガイド板が設けられている、【０００３】  また、外部の風力をガイド板で方向を変えて内部空間部の風車を回転させ、風車を取り付けた中央の回転軸から発電機に伝達されている。
【先行技術文献】
【特許文献】
【０００４】
【特許文献１】特開２００５−５４６９５
【発明の概要】
【発明が解決しようとする課題】
【０００５】  以上に述べた従来のガイド板による円形枠の風力発電装置では、空間部に導入された風力の排出する部分が述べていないため、風力によるエネルギーを十分に導入することは困難であると考えられる。【０００６】  本発明は、四角状の箱型の連結型風力装置であり、前後は複数のガイド板の間隔から外部の風力方向変えて内部に風力を導入する部分と、コーナー材を取り付けたガイド板と、両側が板材で塞がれた間の間隔を風力の排出の間隔部分に設けられている。
【課題を解決するための手段】
【０００７】  そして、本発明は四角状の上板と下板を上下にした間の前後に長板状のガイド板が間隔を有して斜めに内部にする方向に同じくして複数立設され、前記上板と前記下板の両側の間には板材が取り付けられて塞がれ、前記ガイド板と板材で囲まれて設けられた内部には前記間隔から外部の風力が方向を変えて導入される部分と、前記ガイド板の斜めと前記板材の間隔が前記板材の間隔が内部方向に大きくなった部分を有して排出の間隔部分が設けられ、前記内部に導入する風力で起動する羽が円筒形の周壁に間隔を有して縦長に複数の起動羽根を取り付けた風車が設けられ、前記内部中央に取り付けられる縦長の回転軸が前記風車の中央に差入れて前記回転軸の途中の前記内部に位置する部分に前記風車を取り付けて備えられ、前記下板には導入する風力の排出と、備えた前記風車を取り付けた前記回転軸を出し入れできる開口部が設けられ、前記開口部から備えた前記回転軸が差入れられ、前記上板の中央に軸受けを有して前記回転軸の上部が前記軸受けを通抜けた端に前記回転軸に軸端の歯車が設けられ、前記下板の下方に配置された支持材の上部に軸受けを有して前記回転軸の下端を取り付けて前記回転軸が回転自在に設けられ、上記した構成を複数設けた両側の前記板材部分と発電ケースも含めて合わせ上部の前記回転軸の軸端の歯車と前記発電ケース内部に配置された縦軸の上部に軸端の歯車が取り付けられてそれぞれの歯車が一直線状に揃えられて連結され、前記それぞれの歯車の上側にかみ合う歯車を備えられる接続軸が前記板材の上部が立ち上がった部分に軸受けを有して回転自在に水平状に取り付けられ、前記それぞれの歯車に前記接続軸に備えた歯車を一方側にかみ合わせて接続された前記接続軸が横長に配置され、前記縦軸に変速歯車を有して発電機軸に伝達したものである。
【発明の効果】
【０００８】  上述したようにコーナーを取り付けたガイド板と板材の間隔に導入風力の排出の間隔部を設けたことで、風力エネルギーを風車に伝える効果が発揮される。【０００９】  また、連結型風力装置の連結される板材部分と、風車を取り付けた回転軸の軸端の歯車に、横長の接続軸の歯車をかみ合わせた接続により限度まで延長が可能とされている。【００１０】  また、本発明を実施された場合には、コスト、低風速、突風の対応に効果的で、耐久性と安全性に高く支障の少ない構成になっている。
【図面の簡単な説明】
【００１１】
【図１】連結型風力装置と発電ケースを連結した実施形態を示す正面図。
【図２】単独の連結型風力装置を示す正面図。
【図３】単独の連結型風力装置を示す側面図。
【図４】連結型風力装置内部の回転体の部分を示す斜視図。
【図５】連結型風力装置と発電ケースを連結したＡ−Ａ線断面図。
【図６】連結型風力装置と発電ケースを連結した上から見た平面図。
【図７】連結型風力装置と発電ケースを連結したＢ−Ｂ線断面図。
【発明を実施するための形態】
【００１２】  以下、本発明の実施の形態を図１〜図７に基づいて説明する。
【００１３】  図においては、連結型風力装置１は四角状の上板２と下板３の間に前方端と後方端に長板状のガイド板４が導入風力の間隔５を取って斜め内側方向に同じくして複数立設されるコーナーを取り付けたガイド板４と板材６が取り付けられる内部側の間隔が大きくなる部分を有して排出の間隔部分５ａを設けてガイド板４が立設されている。
【００１４】  また、上板２と下板３の両側の間には外面が連結部になる板材５が取り付けられて塞がれている。
【００１５】  また、ガイド板４と板材５で囲まれた内部にはガイド板４の間隔５から導入風力で起動する起動羽根８が円筒形８の周壁に間隔をとって縦長に複数取り付けた風車１０が設けられている。
【００１６】  また、内部中央に取り付けられる回転軸７上部が風車１０中央を通抜けて風車１０を内部に位置する部分に固定して備えられる。
【００１７】  また、下板３には導入風力の排出と排雪する開口部３ａが設けられ、この開口部３ａから回転軸７と固定した風車１０が挿入される。
【００１８】  また、下板３の下方に配置された支持材１１の上部に軸受け１２を有して回転軸７の下端が取り付けられいる。
【００１９】  また、上板２中央に軸受け１２を取り付けた中央を回転軸７の上部が通抜けた端に回転軸の軸端の歯車７ａが取り付けられて、回転自在に回転軸７が設けられている。
【００２０】  また、連結される発電ケース１４は周りが板類で四角形の箱状に囲まれた内部に発電機１６と縦軸１５が配置され、縦軸１５から上部位置の縦軸の軸端の歯車１５ａと発電機軸１６ａに変速歯車１７で接続されている。
【００２１】  また、上記した連結型風力装置１を複数設けて両側の板材６部分を複数合わせ揃えて発電ケース１４も含めて回転軸の軸端の歯車７ａと縦軸の軸端の歯車１５ａがそれぞれ一直線状になるよに連結されて横長に配置されている。
【００２２】  また、連結により一直線状にされたそれぞれの歯車７ａ、１５ａの上側にかみ合う歯車を備えられる接続軸１３が板材６の上部が立ち上がった位置に接続軸１３を取り付けられる部分に軸受け１２を有して複数の歯車を備えた接続軸の歯車１３ａが軸受け１２に回転自在に取り付けられている。
【００２３】  また、それぞれの軸端の歯車１７ａ、１５ａの上側に連結型風力装置１の前後に対して左右のどちらか一方側に同じくして接続軸の歯車１３ａがそれぞれの軸端の歯車７ａ、１５ａにかみ合わせて接続され、水平状に配置されている。
【００２４】  また、配置された接続軸の歯車１３ａに接続された発電ケース１４からの縦軸の軸端の歯車１５ａは、曲げる方向の接続軸の歯車１３ａと両方向を上側にかみ合わせることができる大きさにして設けられている。
【００２５】  また、接続軸の歯車１３ａに接続された縦軸の軸端の歯車１５ａは、発電ケース１４内部に接続した縦軸１５が複数配置され複数の変速歯車１７で内部に配置された発電機軸１６ａに接続されている。
【００２６】  また、板材６の連結には、取り付け取り外しができるように留具はボルト、ナット、または連結金具などが使用されている。
【００２７】  また、連結型風力装置１を複数連結した上部に、両側の連結された板材５の上部を上に延長して上部位置に同じものを構成して配列することが可能であると共に横は必要に応じた延長が可能にされている。
【００２８】  また、突風などによる制御は、風力による自動ブレーキの制御が容易に可能とされる。
【００２９】  また、連結型風力装置１の前後の両方は対称であり、また両側の両方も対称であるので呼びなをどちらを前後としても違いはない。
【符号の説明】
【００３０】  １・・・連結型風力装置
２・・・・上板
３・・・・下板
３ａ・・・開口部
４・・・・ガイド板
５・・・・間隔
５ａ・・・排出の間隔部分
６・・・・板材
７・・・・回転軸
７ａ・・・回転軸の軸端の歯車
８・・・・円筒形
９・・・・起動羽根
１０・・・風車
１１・・・支持材
１２・・・軸受け
１３・・・接続軸
１３ａ・・接続軸の歯車
１４・・・発電ケース
１５・・・縦軸
１５ａ・・縦軸の軸端の歯車
１６・・・発電機
１６ａ・・発電機軸
１７・・・変速歯車
【図１】
2020051423.tif 000003
【図２】
2020051423.tif 000004
【図３】
2020051423.tif 000005
【図４】
2020051423.tif 000006
【図５】
2020051423.tif 000007
【図６】
2020051423.tif 000008
【図７】
2020051423.tif 000009
【手続補正書】
【提出日】平成30年12月20日(2018.12.20)
【手続補正１】
【補正対象書類名】明細書
【補正対象項目名】００２２
【補正方法】変更
【補正の内容】
【００２２】  また、連結により一直線状にされたそれぞれの歯車７ａ、１５ａの上側にかみ合う歯車１３ａを備えた接続軸１３を配置する位置に、図３に示す板材６の上部中央の貫通孔に合わせて軸受け１２を有し、接続軸１３が回転自在に取り付けられている。
【手続補正２】
【補正対象書類名】図面
【補正対象項目名】図３
【補正方法】変更
【補正の内容】
【図３】
2020051423.tif 000010
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
四角状の上板と下板を上下にした間の前後の端部に長板状のガイド板が間隔を有して斜めに内部になる任意方向に同じく複数が立設され、
前記上板と前記下板の両横側の間には前記板材が上下に出っ張って取り付けられて塞がれ、
前記ガイド板と前記板材で囲まれて内部が設けられ、
複数の前記ガイド板との間の前記間隔から外部の風力が吹き付ける風力方向を変えて導入される部分と、前記ガイド板の斜めと前記板材との前記間隔が前記内部方向に大きくされた部分を有して導入風力の排出間隔部が設けられ、
前記内部に導入される任意方向の風力で起動する風車は円筒形の周壁に間を有して縦長に複数の羽根を取り付けた風車が設けられ、
前記内装中央に取り付けられる縦長の回転軸が前記風車の中央に差し入れて前記回転軸の途中の前記内部中央に位置する部分に前記風車を固定して備えられ、
前記下板には前記風車を取り付けた前記回転軸を出し入れができる開口部が設けられ、
前記上板の中央に貫通孔を有して軸受けを取り付け前記回転軸の上部が前記軸受けを通り抜けさせた端に軸端の歯車が設けられ、
前記下板の下方に配置された支持材の上部に軸受けを前記開口部の中央に位置して取り付け、前記回転軸の下端を前記軸受けに取り付けて回転自在に風車が設けられて一つの連結型風力装置が構成され、
前記連結型風力装置を複数設けた両横側の前記板材の外面と箱形の連結型発電ケースの側も含めて連結した上部の前記軸端の歯車と前記発電ケースの軸端の歯車が一直線状に配置され、複数の前記軸端の歯車の上側にかみ合う歯車を備えた接続軸が前記板材の上部が立ち上がった部分に貫通孔と軸受けを有して前記軸受けに前記接続軸を通して水平状に前記接続軸が取り付けられ、
複数の前記連結型が連結された上部の複数の前記軸端の歯車に前記接続軸に備えた歯車を一方側にかみ合わせて、前記接続軸と前記軸端の歯車が回転時材に接続され、
前記連結型に構成成された連結型風力装置の複数の前記風車の回転が前記連結型発電ケースの軸端の歯車から変速歯車をを有して内部に配置された発電機に伝達したことを特徴とする連結型風力装置。
【請求項２】
前記連結型風力装置の連結による配列を曲げる位置に前記発電ケースが連結され、上部配置された前記接続軸が曲げる方向と前記接続軸に備えた歯車を両方向の歯車が上側にかみ合わせの可能な前記発電ケースの軸端の歯車を設けた請求項１に記載の連結型風力装置。
【手続補正２】
【補正対象書類名】明細書
【補正対象項目名】０００７
【補正方法】変更
【補正の内容】
【０００７】  そして、本発明は四角状の上板と下板を上下にした間の前後の端部に長板状のガイド板が間隔を有して斜めに内部になる任意方向に同じく複数が立設され、前記上板と前記下板の両横側の間には前記板材が上下に出っ張って取り付けられて塞かれ、前記ガイド板前記板材で囲まれて内部が設けられ、複数の前記ガイド板との間の前記間隔から外部の風力が吹き付ける風力方向を変えて導入される部分と、前記ガイド板の斜めと前記板材との前記間隔が前記内部方向に大きくされた部分を有して導入風力の排出間隔部が設けられ、前記内部に導入される任意方向の風力で起動する風車は円筒形の周壁に間を有して縦長に複数の羽根を取り付けた風車が設けられ、前記内部中央に取り付けられる縦長の回転軸が前記風車の中央に差し入れて前記回転軸の途中の前記内部中央に位置する部分に前記風車を固定して備えられ、前記下板には前記風車を取り付けた前記回転軸を出し入れができる開口部が設けられ、前記上板の中央に貫通孔を有して軸受けを取り付け前記前記回転軸の上部が前記軸受けを通り抜けさせた端に軸端の歯車が設けられ、前記下板の下方に配置された支持材の上部に軸受けを前記開口部の中央に位置して取り付け、前記回転軸の下端を前記軸受けに取り付けて回転自在に風車が設けられて一つの連結型風力装置が構成され、前記連結型風力装置を複数設けた両横側の前記板材の外面と箱形の連結型の発電ケースの側も含めて連結した上部の前記軸端の歯車と前記発電ケースの軸端の歯車が一直線状に配置され、複数の前記軸端の歯車の上側にかみ合う歯車を備えた接続軸が前記板材の上部が立ち上がった部分に貫通孔と軸受けを有して前記軸受けに前記接続軸を通して水平状に前記接続軸が取り付けられ、複数の前記連結型が連結された上部の複数の前記軸端の歯車に前記接続軸に備えた歯車を一方側にかみ合わせて、前記接続軸と前記軸端の歯車が回転自在に接続され、前記連結型に構成された連結型風力装置の複数の前記風車の回転が前記連結型発電ケースの軸端の歯車から変速歯車を有して内部に配置された発電機に伝達したものである。
【手続補正３】
【補正対象書類名】明細書
【補正対象項目名】００１３
【補正方法】変更
【補正の内容】
【００１３】  図においては、連結型風力装置１は四角状の上板２と下板３を平行にした外側の間に前方端と後方端に長板状のガイド板４が導入される風力の間隔５を取って斜めを任意方向の風車１０の回転方向に同じくして複数立設され、コーナーを取り付けたガイド板４と外面が連結部分になる板材６が上板２と下板３の間の上とと下に出っ張って取り付けられる内側の間隔５ａが内部方向に大きくなった部分を導入された風力の排出される間隔５ａを設けてガイド板４が複数立設されている。
【手続補正４】
【補正対象書類名】明細書
【補正対象項目名】００１４
【補正方法】変更
【補正の内容】
【００１４】  また、図２図３に示すように上板２と下板３の両横側の間には外面が連結になる板材６が間の上と下に出っ張って取り付けられ、上板２より上部に立ち上がった部分には接続軸１３を配する位置に貫通孔と軸受け１２が取り付けられ、板材６の下が出っ張った部分は連結型風力装置１の支持材１１になっている。
【手続補正５】
【補正対象書類名】明細書
【補正対象項目名】００１５
【補正方法】変更
【補正の内容】
【００１５】  また、ガイド板４と板材６で四角状の箱形に囲まれた内部には複数の任意方向任意方向の風車１０の回軸方向に斜め角度のガイド板４との間隔５から導入風力で起動動する風車１０は、羽根９が円筒形８の周壁に間隔５をとって縦長に複数取り付けた風車１０が設けられている。
【手続補正６】
【補正対象書類名】明細書
【補正対象項目名】００１９
【補正方法】変更
【補正の内容】
【００１９】  また、上板２の中央に貫通孔を有して軸受け１２を取り付けた中央を回転軸７の上部が通り抜けた端に軸端の歯車７ａが取り付けられて、回転自在に風車１０が取り付けられた一つの連結型風力装置１が設けられている。
【手続補正７】
【補正対象書類名】明細書
【補正対象項目名】００２０
【補正方法】変更
【補正の内容】
【００２０】  また、連結される発電ケース１４は、図７に示すように連結する板材６の高さに合わせて四角形の箱形に設けられた上部位置に接続軸１３を配置する位置に貫通孔を有して軸受け１２が備えられ内部に発電機１６と縦軸１５が配置され、縦軸１５から上部端に軸端の歯車１５ａと下部には変速歯１７から発電機軸１６ａに接続されている。
【手続補正８】
【補正対象書類名】明細書
【補正対象項目名】００２１
【補正方法】変更
【補正の内容】
【００２１】  また、連結型風力装置１を複数設けて両横側の板材６部分を複数合わせ並べて発電ケース１４も含めて横に複数連結され、上部の軸端の歯車７ａと軸端の歯車１５ａが一直線状になって横長に配置されている。
【手続補正９】
【補正対象書類名】明細書
【補正対象項目名】００２２
【補正方法】変更
【補正の内容】
【００２２】  また、横長に並べた上部の複の軸端の歯車７ａ・１５ａの上側にかみ合う歯車を備えた接続軸１３を、取り付ける位置は、板材６の上部が複数立ち上がった位置に貫通孔を有して軸受け１２が取り付けられている。
【手続補正１０】
【補正対象書類名】明細書
【補正対象項目名】００２３
【補正方法】変更
【補正の内容】
【００２３】  また、複数の軸受け１２に接続軸１３を通して備えた接続軸の歯車１３ａを軸端の歯車７ａ・１５ａの上側の一方側にかみ合わせて回転自在に接続軸１３が複数の軸端の歯車７ａ・１５ａに接続されている。
【手続補正１１】
【補正対象書類名】明細書
【補正対象項目名】００２４
【補正方法】変更
【補正の内容】
【００２４】  また、接続軸の歯車１３ａに接続された発電ケース１４の軸端の歯車１５ａは曲げる方向の接続軸の歯車１３ａと両方向を上側にかみ合わせができる軸端の歯車１５ａが設けられている。
【手続補正１２】
【補正対象書類名】明細書
【補正対象項目名】００２５
【補正方法】変更
【補正の内容】
【００２５】  また、接続軸の歯車１３ａに接続された縦軸１５からの軸端の歯車１５ａは、発電ケース１４の内部に接続した縦軸１５が変速歯車１７を有して内部に配置された発電機１６の発電機軸１６ａに接続した回転の伝達は、多方向の外部の風力がガイド板４に吹き付ける風力を風車１０の回転方向に変えて間隔５から導入される風力で複数の風車１０の回転が回転軸７から接続軸１３と縦軸１５と発電機軸１６ａに多種類の歯車を有して伝達されている。
【手続補正１３】
【補正対象書類名】明細書
【補正対象項目名】００２７
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】変更
【補正の内容】
【００３０】７ａ・・・軸端の歯車
９・・・・羽根
１５ａ・・軸端の歯車